(57)【要約】【課題】プリント基板に位置決め用の穴を形成することなく筺体に位置決めするとともに、簡易な構成で且つ組み立て時の作業性のよいリモコン装置を提供することを目的とする。【解決手段】ボトムケース１６は、上記ボトムケースの前面内壁側から上記ＬＥＤランプの外面に沿って円弧状に湾曲した窪みを有するＬＥＤランプ保持部と、ボトムケース１６の内壁とでプリント基板１５を収容する空間を形成する隔壁とを有し、  ＬＥＤランプ保持部にてＬＥＤランプ１５ｅを保持してプリント基板１５の左右方向の動きを規制するとともに、ＬＥＤランプ１５ｅを実装する辺と対向する辺を隔壁にて当接させて前後方向の動きを規制し、ボトムケース１６内に位置決めする。【選択図】図１
0003124038.tif 000002
【実用新案登録請求の範囲】
【請求項１】
ＬＥＤランプの赤外線送信方向を外側に向けて配置するとともに、上記ＬＥＤランプが配置される辺と対向する辺に乾電池ホルダを配置するプリント基板と、
複数の操作キーを上方に突出させて配置するキーパットと、
トップケースとボトムケースから構成されるとともに、上記プリント基板の素子実装面の上方に上記キーパットを配置しつつ、上記ＬＥＤランプを露出させて収容する筺体とを有するリモコン装置において、
上記プリント基板は、上記ＬＥＤランプを配置するための切り欠きを形成する矩形形状であって、
上記ボトムケースは、上記ＬＥＤランプの外面に沿って円弧状に湾曲した窪みを形成するＬＥＤランプ保持部と、
上記ボトムケースの前面と対向して立設するとともに、上記ボトムケースの内壁とで上記プリント基板を収容する空間と、電源としての乾電池を収容する空間とを形成する隔壁とを有し、
上記ＬＥＤランプ保持部の円弧状に湾曲した窪みに上記ＬＥＤランプを配置することにより、上記プリント基板の左右方向の動きを規制するとともに、上記プリント基板のＬＥＤランプを実装する辺と対向する辺を上記隔壁と当接することで前後方向を位置決めして、上記ボトムケース内に位置決めし、
上記トップケースを、上記プリント基板が位置決めされたボトムケースにネジ止めすることにより上記プリント基板の上下方向を狭持して筺体内に固定されることを特徴とするリモコン装置。
【請求項２】
ＬＥＤランプの赤外線送信方向を外側に向けて配置するプリント基板と、
トップケースとボトムケースから構成される筺体に、上記ＬＥＤランプを露出して上記プリント基板を収容するリモコン装置において、
上記ボトムケースは、上記ボトムケースの前面内壁側から上記ＬＥＤランプの外面に沿って円弧状に湾曲した窪みを有するＬＥＤランプ保持部と、
上記ボトムケースの前面と対向して立設するとともに、上記ボトムケースの内壁とで上記プリント基板を収容する空間を形成する隔壁とを有し、
上記ＬＥＤランプ保持部にて上記ＬＥＤランプを保持してプリント基板の左右方向の動きを規制するとともに、上記プリント基板の上記ＬＥＤランプを実装する辺と対向する辺を上記隔壁にて当接させて、上記プリント基板の前後方向の動きを規制して、上記ボトムケース内に位置決めすることを特徴とするリモコン装置。
【請求項３】
上記プリント基板は、一端に上記ＬＥＤランプを配置するための切り欠きを形成する形状であって、
上記ＬＥＤランプ保持部は、上記トップケースの前面内壁より内側に延設する２本の保持部片を有し、
上記プリント基板の切り欠きと上記ＬＥＤランプとの間に、上記保持部片を挿入して上記プリント基板を保持することを特徴とする請求項２に記載のリモコン装置。
【請求項４】
上記プリント基板の切り欠きは、上記切り欠きの開口部を有する先端から後方にかけて開口部の狭まる段形状であって、
上記保持部片を上記きり欠き部に挿入した際、上記保持部片の先端が上記段形状に狭まった開口部周辺と当接することで上記プリント基板を位置決めすることを特徴とする請求項３に記載のリモコン装置。
【請求項５】
上記保持部片は、上記ボトムケースの前面内壁より延設する根元から先端にかけて横断面が小さくなるよう外側の片が傾斜したテーパー状であって、
上記切り欠きに上記保持部片を挿入した際、上記保持部片の外側の面が上記切り欠きの側面と当接して、上記プリント基板を位置決めすることを特徴とする請求項３に記載のリモコン装置。
【考案の詳細な説明】
【技術分野】
【０００１】
本考案は、リモコン装置に関し、特に、トップケースとボトムケースにてプリント基板を狭持するよう固定するリモコン装置に関する。 
【背景技術】
【０００２】
図６は、従来のリモコン装置を示す構成図である。同図より、リモコン装置９は、筺体を構成するトップケース２とボトムケース５、押圧による操作を受け付けるラバーで形成されたボタン３と、上記ボタン３の操作を基に操作信号を赤外線信号に変換してＬＥＤ４ａを介して出力するプリント基板４とを有する構成である。プリント基板４の構成および、動作は公知技術であるため、ここでは省略するが、通常リモコン装置１を組み立てる場合において、プリント基板４をボトムケース５に位置決めする方法としては、図に記す位置決めボス５ａを、プリント基板側４側に形成された位置決め穴４ｂに挿入することで位置決めを行う。その後、プリント基板４の上方にボタン３を配置し、トップケース２とボトムケース５をネジにて固定することによりプリント基板４は筺体の所定の位置に配置される。
【０００３】
上述した、プリント基板４の固定方法においては、当然、プリント基板４側に位置決め用の穴４ｂを形成する必要があるため、プリント基板４の回路実装パターンは、上記した位置決め穴４ｂを避けるようにして形成されることとなる。しかしながら、現在家電製品は、機能の多様化とともに小型化が進んでおり、リモコン装置１側にはそうした多様化に対応するようボタン数の増加と小型化が求められている。そのため、上述したプリント基板の位置決め方法においては、プリント基板４の、回路実装パターンの制約が存在し、ボタン数の増加と小型化を同時に推し進めることの弊害となっていた。
【０００４】
プリント基板に位置決め穴を形成せずプリント基板を筺体に固定する方法とて、表示ランプを実装するプリント基板において、上記表示ランプを収容するブラケットを用いて、上記ブラケットを筺体に露出させて固定することによりプリント基板を筺体に位置決めして固定する方法が開示されている（例えば、実用文献１参照。）。
【０００５】
また、リモコンの液晶表示装置を筺体の所定の箇所に位置決めする方法としては、筺体内に液晶表示装置の一辺と当接する基準面と、上記基準面と対向して液晶表示装置を上記基準面に押し付ける押圧部と、前記基準面と平行な方向に対向して設けられて上記液晶表示装置を弾性的に狭持する狭持片とを有し、基準面と押圧部にて上下方向を狭持するとともに、狭持片にて幅方向を狭持する方法が開示されている（例えば、実用文献２参照。）。
【特許文献１】特開平１０―０３９７８７号
【特許文献２】特開平１０―０２３５６４号
【考案の開示】
【考案が解決しようとする課題】
【０００６】
上述した特許文献１の考案は、次のような課題があった。つまり、表示ランプまたはＬＥＤランプを筺体に固定するためのブラケットが必要であるため、部品点数が多くなり製品単価が高くなることがあった。また、部品数の増加にともない組み立て時の作業性の悪さも問題であった。
【０００７】
また、特許文献２の考案は、次のような課題がった。つまり、上記特許文献１と同様に、プリント基板を筺体に固定するための部品が必要となり、部品点数の増加による製品単価、並びに組み立て時の作業性の悪さがあった。
【０００８】
本考案は、上記課題にかんがみてなされたもので、プリント基板に位置決め用の穴を形成することなく筺体に位置決めするとともに、簡易な構成で且つ組み立て時の作業性のよいリモコン装置を提供することを目的とする。
【課題を解決するための手段】
【０００９】
上記課題を解決するために、本考案の請求項１にかかる考案では、ＬＥＤランプの赤外線送信方向を外側に向けて配置するとともに、上記ＬＥＤランプが配置される辺と対向する辺に乾電池ホルダを配置するプリント基板と、複数の操作キーを上方に突出させて配置するキーパットと、トップケースとボトムケースから構成されるとともに、上記プリント基板の素子実装面の上方に上記キーパットを配置しつつ、上記ＬＥＤランプを露出させて収容する筺体とを有するリモコン装置において、
上記プリント基板は、上記ＬＥＤランプを配置するための切り欠きを形成する矩形形状であって、上記ボトムケースは、上記ＬＥＤランプの外面に沿って円弧状に湾曲した窪みを形成するＬＥＤランプ保持部と、上記ボトムケースの前面と対向して立設するとともに、上記ボトムケースの内壁とで上記プリント基板を収容する空間と、電源として乾電池を収容する空間とを形成する隔壁とを有し、上記ＬＥＤランプ保持部の円弧状に湾曲した窪みに上記ＬＥＤランプを配置することにより、上記プリント基板の左右方向の動きを規制するとともに、上記プリント基板のＬＥＤランプを実装する辺と対向する辺を上記隔壁と当接することで前後方向を位置決めして、上記ボトムケース内に位置決めし、
上記トップケースを、上記プリント基板が位置決めされたボトムケースにネジ止めすることにより上記プリント基板の上下方向を狭持して筺体内に固定される構成としている。  
【００１０】
上記のように構成した考案においては、上記プリント基板は、上記ＬＥＤランプを配置するための切り欠きを形成する矩形形状である。さらに、上記ボトムケースは、上記ＬＥＤランプの外面に沿って円弧状に湾曲した窪みを形成するＬＥＤランプ保持部と、上記ボトムケースの前面と対向して立設するとともに、上記ボトムケースの内壁とで上記プリント基板を収容する空間を形成する隔壁とを有している。これにより、ボトムケースは、上記ＬＥＤランプ保持部の円弧状に湾曲した窪みにより上記ＬＥＤランプの外面を位置決めして上記プリント基板の左右方向の動きを規制し、上記プリント基板のＬＥＤランプを実装する辺と対向する辺を上記隔壁と当接することで前後方向を位置決めして、上記ボトムケース内に位置決めしする。さらに、上記トップケースを、上記プリント基板が位置決めされたボトムケースにネジ止めすることにより上記プリント基板の上下方向を狭持して筺体内に固定する。
【００１１】
また、上記目的を達成するために、筺体の構成として、ＬＥＤランプの赤外線送信方向を外側に向けて配置するプリント基板と、トップケースとボトムケースから構成される筺体に、上記ＬＥＤランプを露出して上記プリント基板を収容するリモコン装置において、  上記ボトムケースは、上記ボトムケースの前面内壁側から上記ＬＥＤランプの外面に沿って円弧状に湾曲した窪みを有するＬＥＤランプ保持部と、上記ボトムケースの前面と対向して立設するとともに、上記ボトムケースの内壁とで上記プリント基板を収容する空間と、電源としての乾電池を収容する空間を形成する隔壁とを有し、上記ＬＥＤランプ保持部にて上記ＬＥＤランプを保持してプリント基板の左右方向の動きを規制するとともに、上記プリント基板の上記ＬＥＤランプを実装する辺と対向する辺を上記隔壁にて当接させて、上記プリント基板の前後方向の動きを規制して、上記ボトムケース内に位置決めしてもよい。
【００１２】
上記のように構成した考案において、ＬＥＤランプ保持部にてＬＥＤランプを保持して左右方向の動きを規制し、ＬＥＤランプを実装する辺と対向する辺を隔壁と当接させて前後方向の動きを規制するので、プリント基板に位置決め用の穴を形成することなく筺体に位置決めするとともに、簡易な構成で且つ組み立て時の作業性のよいリモコン装置を提供することができる。
【００１３】
また、プリント基板と、ＬＥＤランプ保持部の構成として、上記プリント基板は、一端に上記ＬＥＤランプを配置するための切り欠きを形成する形状であって、上記ＬＥＤランプ保持部は、上記トップケースの前面内壁より内側に延設する２本の保持部片を有し、上記プリント基板の切り欠きと上記ＬＥＤランプとの間に、上記保持部片を挿入して上記プリント基板を保持する構成としてもよい。
【００１４】
上記のように構成された考案では、上記プリント基板に形成された切り欠きに、保持部片を挿入して上記プリント基板を保持する構成とすることで、組み立て時の作業性を向上させることが可能となる。
【００１５】
また、プリント基板の切り欠き部を工夫して、作業性をさらに向上させることも可能である。本考案の一例として、上記プリント基板の切り欠きは、上記プリント基板の切り欠きは、上記切り欠きの開口部を有する先端から後方にかけて開口部の狭まる段形状であって、上記保持部片を上記きり欠き部に挿入した際、上記保持部片の先端が上記段形状に狭まった開口部周辺と当接することで上記プリント基板を位置決めする構成としてもよい。  
【００１６】
上記のように構成した考案では、切り欠きを段形状とすることで、保持部片を挿入する際、保持部片の先端が段状に狭くなった開口部周辺と当接して突き当たるので、先端を突き当てるよう挿入すればよくより一層作業性を向上させることが可能となる。
【００１７】
また、保持部片の形状としては、上記保持部片は、上記ボトムケースの前面内壁より延設する根元から先端にかけて横断面が小さくなるよう外側の片が傾斜したテーパー状であって、上記切り欠き部に上記保持部片を挿入した際、上記保持部片の外側の面が上記切り欠きの側面と当接して上記プリント基板を位置決めする構成としてもよい。
【００１８】
上記のように構成された考案では、保持部片を切り欠きに挿入した際、テーパー状に傾斜した外側の片が、切り欠きの側面と当接することで、筺体内に位置決めされるので、作業性を向上させるとともに、切り欠きと保持部片の設計誤差を気にせずに組み立てることが可能となる。
【考案の効果】
【００１９】
以上説明したように本考案によれば、プリント基板に位置決め用の穴を形成することなく筺体に位置決めするとともに、簡易な構成で且つ組み立て時の作業性のよいリモコン装置を提供することができる。
また請求項３にかかる考案によれば、バックケースにプリント基板を位置決めさせる際、より一層作業性を向上させることが可能となる。
さらに、請求項４にかかる考案によれば、保持部片を挿入する際、先端を突き当てるよう挿入すればよくより一層作業性を向上させることが可能となる。
また、請求項５にかかる考案によれば、作業性を向上させるとともに、切り欠きと保持部片の設計誤差を気にせずに組み立てることが可能となる。
さらに請求項１のような、より具体的な構成において、上述した請求項２〜請求項５の各考案と同様の作用を奏することはいうまでもない。
【考案を実施するための最良の形態】
【００２０】
以下、下記の順序に従って本考案の実施形態であるリモコン装置を説明する。
（１）リモコン装置の構成
（２）プリント基板位置決め方法
（３）変形例１
（４）変形例２
（５）変形例３
（６）まとめ
【００２１】
（１）リモコン装置の構成 
以下、図１、図２、図３、図４、図５を参照して、この考案に係るリモコン装置を具体化したリモコン装置１０を説明する。図１は、リモコン装置の構成図を表す図である。同図より、リモコン装置１０は、各キーの操作名称が表示された表示パネル１１と、トップケース１２、各キーが形成されたキーパット１３、電池ホルダ金具１４、一端にＬＥＤランプを配置するための切り欠きを形成する矩形形状のプリント基板１５、さらには、ボトムケース１６とを有する構成である。リモコン装置１０の概略的な機能としては、トップケース１２から突出したキーパット１３を押圧して所定のキーを操作すると、プリント基板１５は上記キーパット１３の操作に基づいて所定の操作信号を、筺体前面から露出したＬＥＤランプ１５ｅから出力する。以下にプリント基板１５の概略的な機能について説明を行う。
【００２２】
プリント基板１５は、ＬＥＤランプの赤外線送信方向を外側に向けて配置している。図２はプリント基板のブロック構成図を表す図である。同図より、リモコン装置１０は、複数の操作キーに対応したキー入出力部１５ａと、アナログ信号をディジタル信号に変換するＡ／Ｄ変換回路１５ｂと、リモコン装置のシステム全体を制御するマイコン１５ｃと、マイコン１５ｃからの信号に基づいてＬＥＤランプ１５ｅを発光させるスイッチ部１５ｄと、赤外光を発光して赤外線信号の操作信号を送信するＬＥＤランプ１５ｅとを有している。
【００２３】
キー入出力部１５ａは、キーパット１３に形成される所定のキーが押圧されると、キー入出力部１５ａに実装された図示しないパターンが導通し、乾電池１９からの電源をＡ／Ｄ変換回路１５ｂに出力する。このとき、キー入出力部１５ａのパターンは、キーパット１３のキーの押圧に対応して、電源からの電圧を所定の電圧値に分圧してＡ／Ｄ変換回路１５ｂに出力している。Ａ／Ｄ変換回路１５ｂはキー入出力部１５ａから入力されるアナログの電圧値に対応するディジタル信号を生成しマイコン１５ｃに出力する。
【００２４】
マイコン１５ｃは、Ａ／Ｄ変換回路１５ｂからのディジタル信号を受け取ると、所定のタイミングでスイッチ部１５ｄとしてのトランジスタ１５ｄ１のベースに出力する。マイコン１５ｃは、トランジスタ１５ｄ１のベースに供給する電圧の周期を、Ａ／Ｄ変換回路１５ｂから出力されるディジタル信号の値によって変化させる。これにより、ＬＥＤランプ１５ｅに流れる電流が導通しＬＥＤランプ１５ｅから所定の間隔で赤外線信号が出力される。図示しない受信機側では、ＬＥＤランプ１５ｅから出力された赤外線信号の信号間の間隔を検出し所定の制御を実行する。
【００２５】
上述したプリント基板１５を収容する筺体は、トップケース１２とボトムケース１６とから構成されている。トップケース１２は、キーパット１３のベースから突出して形成される各キーが貫通するキー穴１２ａを有し、上記キー穴１２ａにキーパット１３の各キーを挿入して位置決めを行う。さらにトップケース１２には、キーパット１３の各キーがどの操作に対応するかを示す表示パネル１１を有している。表示パネル１１は、トップケース１２と同様に、キーパット１３の各キーが貫通する穴を有しており、トップケース１２の上面に穴が重なるよう接着した後、キーパット１３のキーを貫通させて配置する。
【００２６】
図３はボトムケース１６を表す斜視図である。ボトムケース１６は、プリント基板１５を収容するための空間であるプリント基板収容部１６ａ、さらにはプリント基板収容部１６ａ後方に電池を収容するための電池収容部１６ｂを形成する形状である。プリント基板収容部１６ａの底面には、プリント基板１５を収容する際、プリント基板１５がボトムケース１６の厚み方向に所定の高さを有するよう支持する支持用ボス１６ａ１〜１６ａ８、さらにはプリント基板１５をプリント基板収容部１６ａの所定の位置に位置決めするためのＬＥＤランプ保持部１８とを有する構成である。
【００２７】
プリント基板収容部１６ａのＬＥＤランプ保持部１８は、ボトムケース１６の前面内壁１６ｃを貫通するとともに、ＬＥＤランプ１５ｅの外面に沿った円弧状に湾曲した窪み１８ａを有する形状である。ＬＥＤランプ保持部１８の円形状に湾曲した窪み１８１は、ボトムケース１６を形成する際、成形型にて一体成形されて形成されるが、ＬＥＤランプ保持部１８の窪み１８１の形成方法はこれに限定されず、上述したＬＥＤランプ１５ｅの外面に沿って湾曲する窪みを形成する部位を別部品としてボトムケース１６に固定してもよい。
【００２８】
電池収容部１６ｂは、ボトムケース１６の底面の略中央より盛り上げられた間仕切り部１６ｂ１と、ボトムケース側面より盛り上げられた内壁１６ｂ２、１６ｂ３とで、二本の乾電池を収容するための凹部１６ｂ４、１６ｂ５とを形成する形状である。そのため、プリント基板収容部１６ａと電池収容部１６ｂとの間には、段状に高さがついた隔壁１７が形成されている。また、間仕切り部１６ｂ１は、トップケース１２と固定するための雌ネジが形成されたボス１６ｂ６、１６ｂ７とが形成されている。以下に上述したボトムケース１６を使用してのプリント基板の位置決め方法について説明を行う。
【００２９】
（２）プリント基板位置決め方法
図４は、ボトムケース１６により位置決めされるプリント基板を表す斜視図である。同図より、プリント基板１５の配置方法としては、まず、プリント基板１５のＬＥＤランプ１５ｅを、プリント基板収容部１６ａのＬＥＤランプ保持部１８に配置するよう、ボトムケース１６の隔壁１７と前面内壁により形成されたプリント基板収容部１６ａに収容する。このとき、プリント基板１５の切り欠き部１５ｇに配置されたＬＥＤランプ１５ｅを、ＬＥＤランプ保持部１８の円形状の窪み１８ａに配置することで、ＬＥＤランプ１５ｅは左右方向の動きを規制される。これによりプリント基板１５は、左右方向の動きをＬＥＤランプ保持部１８により規制される。
【００３０】
また、プリント基板１５の前後方向は、上述した隔壁１７より前後方向の動きを規制される。これにより、プリント基板に位置決め用の穴を形成することなく筺体に位置決めすることができる。本考案の一実施形態では、プリント基板収容部１６ａと、電池収容部１６ｂの隔壁１７にてプリント基板１５の後方向の移動を規制しているが、これに限定されず、プリント基板１５の下方の動きを規制するものであればよい
【００３１】
上述した、ボトムケース１６にプリント基板１５を位置決めした状態で、キーパット１３を配置したトップケース１２をボス１６ｂ６、１６ｂ７を用いてネジ止めすることにより、プリント基板１５の素子実装面上にキーパット１３を配置してトップケース１２とボトムケース１６に上下方向を狭持されて収容される。これにより、プリント基板１５に位置決め用の穴を形成することなく筺体に位置決めするとともに、簡易な構成で且つ組み立て時の作業性のよいリモコン装置を提供することができる。
【００３２】
（３）変形例
上述したリモコン装置１０において、ボトムケース１６のＬＥＤランプ保持部１８を以下に説明する構成にしてもよい。図５は変形例としてのボトムケースを表す図である。同図より、ＬＥＤランプ保持部１８は、ボトムケース１６の前面内壁１６ｃより延設する２本の保持部片１８ｂ１、１８ｂ２を有する構成である。保持部片１８ｂ１、１８ｂ２の形状としては、保持部片１８ｂ１、１８ｂ２の外側から外側までの長さを、プリント基板１５のきり欠き部１５ｇの開口部の幅より大きいものとし、保持部片１８ｂ１、１８ｂ２の内側から内側までの長さを、ＬＥＤランプ１５ｅの幅よりも多少長い形状とするのが望ましい。
【００３３】
上述した第二のＬＥＤランプ保持部１８ｂの形状にて、プリント基板１５をボトムケース１６に位置決めさせて配置する場合、保持部片１８ｂ１、１８ｂ２を、プリント基板１５の切り欠き部１５ｇ内側とＬＥＤランプ１５ｅとの間に形成された隙間に挿入することで、保持部片１８ｂ１、１８ｂ２は、上述したプリント基板の切り欠き部１５ｇの内側とＬＥＤランプ１５ｅの外面とで弾性変形して当接することにより、ＬＥＤランプ１５ｅさらにはプリント基板１５を位置決めする。これにより、ボトムケース１６の前面内壁より延設する保持部片１８ｂ１、１８ｂ２をプリント基板１５のきり欠き部１５ｇとＬＥＤランプ１５ｅとの間に挿入し、隔壁１７とで形成するプリント基板収容部１６ａに位置決めして収容することができるので、より一層作業性を向上させることが可能となる。
【００３４】
（４）変形例２
また、保持部片１８ｂ１、１８ｂ２の形状を以下のように形成してもよい。図６は、第二の変形例としての保持部片の形状を表す図である。同図より、保持部片１８ｂ１、１８ｂ２は、ボトムケース１６の前面内壁１６ｃより延設する根元から先端にかけて断面が小さくなるよう外側の片が傾斜したテーパー状の形状である。このため、プリント基板１５の切り欠き部１５ｇに保持部片１８ｂ１、１８ｂ２を挿入することで、保持部片１８ｂ１、１８ｂ２の外側の面が切り欠き部１５ｇの側面と当接して、プリント基板１５を位置決めする。
【００３５】
上述した保持部片１８ｂ１、１８ｂ２の形状により、保持部片１８ｂ１、１８ｂ２を切り欠き部１５ｇに挿入したさい、テーパー状に傾斜した外側の片が、切り欠き部１５ｇの側面と当接することで、ボトムケース１６に位置決めされるので、組み立て時の作業性を向上させるとともに、切り欠き部１５ｇと保持部片１８ｂ１、１８ｂ２の設計誤差を気にせずに組み立てることが可能となる。
【００３６】
（５）変形例３
また、切り欠き部１５ｇの形状を以下のように構成してもよい。図７は、第三の変形例としての保持部片の形状を表す図である。同図より、切り欠き部１５ｇは、切り欠き部１５ｇの開口部を有する先端から後方にかけて開口部の狭まる段形状であって、先端から所定長だけ開口した第一の切り欠き部１５ｇ１と、第一の切り欠き部１５ｇ１より開口の小さい第二の切り欠き部１５ｇ２を有している。そのため、保持部片１８ｂ１、１８ｂ２を第一の切り欠き部１５ｇ１に挿入するとともに、保持部片１８ｂ１、１８ｂ２の先端を第二の切り欠き部１５ｇ２の開口部周辺と当接させるまで挿入してプリント基板１５を位置決めする。
【００３７】
上述した構成により切り欠き部１５ｇを段形状とすることで、保持部片１８ｂ１、１８ｂ２を挿入する際、保持部片１８ｂ１、１８ｂ２の先端が開口部の狭くなった第二の切り欠き部１８ｂ２の開口部周辺と当接して突き当たるので、組み立て時に作業者は、保持部片１８ｂ１、１８ｂ２の先端が突き当たるまで挿入すればよく、より一層作業性を向上させることが可能となる。
【００３８】
（６）まとめ
一辺に赤外線信号を送信するためのＬＥＤランプを実装するプリント基板を、トップケースとボトムケースから構成される筺体に、上記ＬＥＤランプを露出して配置するリモコン装置において、上記ボトムケースは、上記プリント基板に実装されたＬＥＤランプの外面を保持するＬＥＤランプ保持部と、ボトムケースの前面と対向して立設する保持部とを有し、プリント基板は、上記ＬＥＤランプ保持部にて上記プリント基板のＬＥＤランプを保持するとともに、上記保持部にて上記プリント基板の下辺を当接することで、上記ボトムケース内で位置決めされる。
【００３９】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４０】
【図１】リモコン装置の構成図を表す図である。
【図２】プリント基板のブロック構成図である。
【図３】ボトムケースを表す斜視図である。
【図４】ボトムケースに位置決めされるプリント基板の斜視図である。
【図５】変形例としてのボトムケースを表す図である。
【図６】第二の変形例としての保持部片を表す図である。
【図７】第三の変形例としての保持部片を表す図である。
【図８】従来のリモコンの構成図を表す図である。
【符号の説明】
【００４１】
１０…リモコン装置、１１…表示パネル、１２…トップケース、１２ａ…キー穴、１３…キーパット、１４…電池ホルダ金具、１５…プリント基板、１５ａ…キー入出力部、１５ｂ…Ａ／Ｄ変換回路、１５ｃ…マイコン、１５ｄ…スイッチ部、１５ｄ１…トランジスタ、１５ｅ…ＬＥＤランプ、１５ｇ…切り欠き部、１５ｇ１…第一の切り欠き部、１５ｇ２…第二の切り欠き部、１６…ボトムケース、１６ａ…プリント基板収容部、１６ａ１〜１６ａ８…支持用ボス、１６ｂ…電池収容部、１６ｂ１…間仕切り部、１６ｂ２、１６ｂ３…内壁、１６ｂ４、１６ｂ５…凹部、１６ｂ６、１６ｂ７…ボス、１６ｃ…前面内壁、１７…隔壁、１８…ＬＥＤランプ保持部、１８ａ…窪み、１８ｂ１…保持部片、１８ｂ２…保持部片、１９…乾電池
【図１】
0003124038.tif 000003
【図２】
0003124038.tif 000004
【図３】
0003124038.tif 000005
【図４】
0003124038.tif 000006
【図５】
0003124038.tif 000007
【図６】
0003124038.tif 000008
【図７】
0003124038.tif 000009
【図８】
0003124038.tif 000010